(57)【要約】【課題】  側板の開口側よりも前方に突出させて広い面積を確保できるようにした棚板を取り付ける取付構造において、薄い棚板を用いることができ、かつ取付作業が容易な棚板の取付構造を提供する。【解決手段】  左右の側板４と、この側板同士を連結する背板５とを有し、これら両側板４，４から内方に向けて突設した突起１１上に棚板１０を載置した棚板の取付構造において、棚板１０の前後幅は両側板４，４の背板からの前後幅より大きく、背板５には、左右方向のほぼ全長に渡って溝部１２が形成され、棚板１０の後端部１０ｂを溝部１２に嵌合させるとともに、棚板１０の下面に突設した当接部１０ａを前記突起１１に後方から当接あるいは近接させる。【選択図】  図４
2006346082.tif 000002
【特許請求の範囲】
【請求項１】
左右の側板と、該側板同士を連結する背板とを有し、前記両側板から内方に向けて突設した突起上に棚板を載置した棚板の取付構造において、前記棚板の前後幅は前記両側板の前記背板からの前後幅より大きく、前記背板には、左右方向のほぼ全長に渡って溝部が形成され、前記棚板の後端部を前記溝部に嵌合させるとともに、前記棚板の下面に突設した当接部を前記突起に後方から当接あるいは近接させたことを特徴とする棚板の取付構造。
【請求項２】
前記棚板の側板前端より前方へ突出した突出部の左右幅が、前記両側板間の間隔よりも大きくなっている請求項１に記載の棚板の取付構造。
【請求項３】
前記突出部の左右後端縁が、前記側板の前端縁に近接している請求項２に記載の棚板の取付構造。
【請求項４】
前記棚板が、アクリル樹脂で形成される請求項１ないし３のいずれかに記載の棚板の取付構造。
【請求項５】
前記両側板と前記背板との上端に天板を支持させ、該天板の少なくとも前端縁がラウンド状に形成されるとともに、前記棚板の前端縁が、平面視で前記天板の前端縁と略同一のラウンド状に形成される請求項１ないし４のいずれかに記載の棚板の取付構造。
【請求項６】
前記両側板と前記背板とを平面視で略Ｈ形状に配置し、前記棚板を前記背板の前後両側に載置した請求項１ないし５のいずれかに記載の棚板の取付構造。
【発明の詳細な説明】
【技術分野】
【０００１】
本発明は、左右の側板と、この側板同士を連結する背板とを有し、両側板から内方に向けて突設した突起上に棚板を載置した棚板の取付構造に関する。
【背景技術】
【０００２】
従来、側板の開口側よりも前方に突出させて広い面積を確保できるように、側板の前後幅よりも大きな前後幅を有する棚板を、両側板から内方に向けて突設した突起（ダボ）上に載置した棚板の取付構造がある。このような棚板の取付構造は、側板の開口側と背面側にダボを取り付け、棚板の左右両側面の後端から前方に形成された凹溝に、側板の背面側のダボを挿入させ、棚板の裏面側の中央部に形成された受け溝に、側板の開口側のダボを嵌め込むことで、側板の開口側から前方に突出した棚板上に載置物を載置しても、開口側のダボを支点に棚板の後方部分が浮き上がることを防止している（例えば、特許文献１参照）。
【０００３】
【特許文献１】特開２００２−１７４７０号公報（第２頁、第１図）
【発明の開示】
【発明が解決しようとする課題】
【０００４】
しかしながら、特許文献１にあっては、側板２の背面側に取り付けられたダボ７ｂ（突起）を挿入するための凹溝５を、棚板４の左右両側面に形成するために、棚板４が所定の厚みを有していなければならず、そのため棚板４が重くなるばかりか、凹溝５の形成には手間がかかる。また、側板２の開口側のダボ７ａを嵌め込むために、棚板４の裏面側にダボ７ａの形状に合わせた受け溝６を形成しなければならず、受け溝６の形成が面倒であるばかりでなく、棚板が薄いものでは強度上の観点から使用されなかった。
【０００５】
本発明は、このような問題点に着目してなされたもので、側板の開口側よりも前方に突出させて広い面積を確保できるようにした棚板を取り付ける取付構造において、薄い棚板を用いることができ、かつ取付作業が容易な棚板の取付構造を提供することを目的とする。
【課題を解決するための手段】
【０００６】
前記課題を解決するために、本発明の請求項１に記載の棚板の取付構造は、
左右の側板と、該側板同士を連結する背板とを有し、前記両側板から内方に向けて突設した突起上に棚板を載置した棚板の取付構造において、前記棚板の前後幅は前記両側板の前記背板からの前後幅より大きく、前記背板には、左右方向のほぼ全長に渡って溝部が形成され、前記棚板の後端部を前記溝部に嵌合させるとともに、前記棚板の下面に突設した当接部を前記突起に後方から当接あるいは近接させたことを特徴としている。
この特徴によれば、前記棚板の前後幅は前記両側板の前後幅より大きくしたので、広い面積の棚板が確保でき、かつ棚板の後端部を背板の溝部に嵌合させて棚板の当接部を側板の突起に後方から当接あるいは近接させることで、棚板を容易に取り付けることができる。また、棚板には、取付のための溝がどこにも形成されていないので、薄い棚板を用いることができる。
【０００７】
本発明の請求項２に記載の棚板の取付構造は、請求項１に記載の棚板の取付構造であって、
前記棚板の側板前端より前方へ突出した突出部の左右幅が、前記両側板間の間隔よりも大きくなっていることを特徴としている。
この特徴によれば、棚板の突出部の左右幅が、左右の側板間の間隔よりも大きくなることでより広く棚板の面積を確保できるようになる。
【０００８】
本発明の請求項３に記載の棚板の取付構造は、請求項２に記載の棚板の取付構造であって、
前記突出部の左右後端縁が、前記側板の前端縁に近接していることを特徴としている。
この特徴によれば、棚板を取り付ける際に、突出部の左右後端縁を側板の前端縁に当接あるいは近接させることで、棚板の下面の当接部が側板の突起の後方側に位置することを示す目安として利用できる。
【０００９】
本発明の請求項４に記載の棚板の取付構造は、請求項１ないし３のいずれかに記載の棚板の取付構造であって、
前記棚板が、アクリル樹脂で形成されることを特徴としている。
この特徴によれば、アクリル樹脂を使用することで、薄くて丈夫な棚板を形成できる。
【００１０】
本発明の請求項５に記載の棚板の取付構造は、請求項１ないし４のいずれかに記載の棚板の取付構造であって、
前記両側板と前記背板との上端に天板を支持させ、該天板の少なくとも前端縁がラウンド状に形成されるとともに、前記棚板の前端縁が、平面視で前記天板の前端縁と略同一のラウンド状に形成されることを特徴としている。
この特徴によれば、天板の前端縁のラウンド状と棚板の前端縁のラウンド状を略同一とすることにより、棚板の面積を広く形成でき、天板を前方に突出させて面積を広くしても、棚板上の載置物が取り易い。
【００１１】
本発明の請求項６に記載の棚板の取付構造は、請求項１ないし５のいずれかに記載の棚板の取付構造であって、
前記両側板と前記背板とを平面視で略Ｈ形状に配置し、前記棚板を前記背板の前後両側に載置したことを特徴としている。
この特徴によれば、側板と背板が平面視で略Ｈ形状に配置することで、前後両側に設けられる棚板を強固に、且つバランス良く支持することができ、且つ両側から対面利用できるので使い勝手がよい。
【発明を実施するための最良の形態】
【００１２】
本発明に係る棚板の取付構造を実施するための最良の形態を実施例に基づいて以下に説明する。
【実施例】
【００１３】
本発明の実施例を図面に基づいて説明すると、先ず図１は、本発明の棚板の取付構造が適用されたカウンタを示す斜視図であり、図２（ａ）は、カウンタを示す正面図であり、図２（ｂ）は、カウンタを示す側面図であり、図３は、図２におけるカウンタを示すＡ−Ａ横断平面図であり、図４は、図３におけるカウンタを示すＢ−Ｂ縦断側面図であり、図４（ａ）は、棚板を取り付けるときの図であり、図４（ｂ）は、棚板を取り付た状態を示す図である。以下、図２（ａ）の紙面手前側をカウンタの正面側（前方側）、図２（ｂ）では、左側をカウンタの正面側（前方側）、図３では、下方側をカウンタの正面側（前方側）、図４では、左側をカウンタの正面側（前方側）として説明する。
【００１４】
図１の符号１は、化粧品等を販売する店舗内に設置されるカウンタであり、このカウンタ１は、キャスタ２が取り付けられた円盤状の基台３と、この基台３上に立設された、２つの側板４と、これらの側板４の間に配置された背板５とを有しており、側板４と背板５の上端には、基台３とほぼ同じ大きさに形成された円盤状の天板６が支持されている。
【００１５】
図２（ｂ）に示すように、天板６上には、ミラーユニット７が固定されている。このミラーユニット７は、天板６上に立設された立設板７ａ有し、立設板７ａの上部の前後両側に、鏡取付部７ｂが設けられている。この鏡取付部７ｂに、客（使用者）が店舗で販売する試供品等を試用するときに利用できる鏡８が取り付けられている。
【００１６】
図２（ａ）に示すように、天板６の下方側には、側板４と背板５によってカウンタ１の前後両側に収納部９が形成されており、この収納部９には、試供品やパンフレットなどの載置物を載置しておくための複数段の棚板１０が取り付けられている。尚、天板６や鏡８が取り付けられたミラーユニット７は、使用者が立ったまま利用し易い高さに配置されている。
【００１７】
また、棚板１０は半透明のアクリル樹脂で形成されており、アクリル樹脂を使用して棚板１０を形成することで、薄くて丈夫な棚板１０を形成でき、半透明であることで複数段の棚板１０を配置した際に、棚板１０の下方に光を通過させて収納部９内の載置物を照らすことができるようになっている。
【００１８】
図３に示すように、背板５は左右に配置される側板４の前後方向の略中央部に連結され、側板４と背板５が平面視で略Ｈ形状に配置されている。収納部９は背板５の前後両側に形成されており、側板４と背板５が平面視で略Ｈ形状に配置されることで、前後両側に形成された収納部９の強度が高められるようになっている。カウンタ１の前方側及び後方側の収納部９には、同一構成の棚板１０が配置されるようになっている。以下、本発明の棚板１０の取付構造をカウンタ１の前方側に配置される棚板１０を例に説明する。
【００１９】
図３に示すように、左右に配置される両側板４の内面側には、本実施例における突起としてのねじ込み式のダボ１１が取り付けられており、このダボ１１は内方側に突出され、側板４の内面における前端側の近くに配置されている。
【００２０】
図４（ａ）及び図４（ｂ）に示すように、棚板１０の下面には下方に突出される当接部１０ａが形成されている。更に、背板５の前面側と後面側には、背板５の左右方向のほぼ全長に渡って、棚板１０の後端縁１０ｂが嵌合される溝部１２が形成されている。
【００２１】
この溝部１２は、棚板１０の厚さとほぼ同じかやや広い上下幅を有しており、棚板１０の後端縁１０ｂが溝部１２に嵌合された際に、棚板１０の後端縁が上下方向にぐらつかないようになっている。また、棚板１０には、その下面に下方に突出する当接部１０ａを形成するだけでよいので、薄くて軽量な棚板１０を用いることができるようになる。
【００２２】
図３に示すように、棚板１０の前後方向の幅は、側板４の前端から背板５までの距離（側板の背板からの前後幅）よりも大きくなるように形成されており、棚板１０の前面側には、側板前端より前方へ突出した突出部１０ｃが形成され、この突出部１０ｃの左右方向の幅は、左右に配置される側板４の内面同士の間隔よりも大きくなるように形成されており、棚板１０全体の面積がより広く確保できるようになっている。
【００２３】
また図３に示すように、棚板１０の突出部１０ｃの前端縁１０ｄは湾曲されたラウンド状に形成されており、この前端縁１０ｄのラウンド形状は、天板６の縁辺（前端縁）のラウンド形状の曲率とほぼ同じ曲率を有し、突出部１０ｃの前端縁１０ｄが、平面視で天板６の縁辺と略同一になるように形成されている。尚、突出部１０ｃの前端縁１０ｄは天板６の縁辺の位置近傍まで突出されている。そのため棚板１０の面積を広く形成できるとともに、天板６の面積を広く形成しても、棚板１０上の載置物を客が手に取り易くなっている。
【００２４】
図３，４（ａ）に示すように、棚板１０を取り付ける際には、棚板１０の突出部１０ｃの後端縁１０ｅを側板４の前端縁４ａに当接させて、背板５に形成された溝部１２の一部に棚板１０の後端縁１０ｂを嵌合させて、棚板１０の後端縁１０ｂを支点に棚板１０を下方に回動させると、棚板１０の後端縁１０ｂが溝部１２に完全に嵌合すると同時に、棚板１０の下面に形成された当接部１０ａが、側板４に取り付けられたダボ１１に後方側から当接あるいは近接させることができる。棚板１０が溝部１２に嵌合しダボ１１上に載置されたとき、棚板１０の突出部１０ｃの後端縁１０ｅは側板４の前端縁４ａから離れ、若干の隙間が形成される。
【００２５】
尚、ダボ１１は側面視で円形状をなしており、棚板１０の当接部１０ａは側面視で矩形状をなしてダボ１１に当接される面が垂直になるように形成されている。そのため当接部１１ａをダボ１１の上方からスライドさせてダボ１１の後方の配置させ易くなっているとともに、棚板１０が前方側に動いたときに、当接部１０ａがダボ１１に乗り上げることが防止され、棚板１０の前方移動が阻止される。
【００２６】
また図４（ｂ）に示すように、後方側の収納部９に取り付けられる棚板１０も、前方側に配置される棚板１０と同様な方法で取り付けることができる。カウンタ１の前後の収納部９に棚板１０を配置することで、より多くの載置物を棚板１０に載置できるようになる。更にカウンタ１の前後両面からの対面利用が可能となり、使い勝手が向上する。
【００２７】
本発明の棚板１０の取付構造によれば、棚板１０の前方側の突出部１０ｃを収納部９よりも前方に突出させた状態で、棚板１０を収納部９に配置できるので、広い面積の棚板１０を確保できるようになり、かつ棚板１０の後端縁１０ｂを背板５の溝部１２に嵌合させて、棚板１０の当接部１０ａを側板４のダボ１１に後方から当接あるいは近接させるだけで、棚板１０を容易に取り付けることができる。
【００２８】
また、収納部９より前方に突出された棚板１０の突出部１０ｃに載置物を載置しても、棚板１０の後端縁１０ｂが、背板５に形成された溝部１２に嵌合されているため、載置物の重さによって棚板１０がダボ１１を支点として後方部分が浮き上がるようなことが防止される。
【００２９】
尚、図１に示すように、カウンタ１は、基台３にキャスタ２が取り付けられているので、自在に移動できるようになっている。そして、図３に示すように、棚板１０が当接部１０ａの前方側のダボ１１に当接され、棚板１０の後端縁が溝部１２に嵌合されていることによって、カウンタ１を移動させる際に、棚板１０が前後方向にがたつくことを防止でき、棚板１０上の載置物が転倒したり、載置位置がずれたりしないようになっている。
【００３０】
更にまた、棚板を取り付ける際に、突出部１０ｃの左右後端縁１０ｅを側板４の前端縁４ａに当接あるいは近接させることで、棚板の下面の当接部が側板の突起の後方側に位置することを示す目安として利用できる。
【００３１】
以上、本発明の実施例を図面により説明してきたが、具体的な構成はこれら実施例に限られるものではなく、本発明の要旨を逸脱しない範囲における変更や追加があっても本発明に含まれる。
【００３２】
前記実施例では、本発明の棚板１０の取付構造が、化粧品の販売店舗に設置される鏡８を備えたカウンタ１に適用されていたが、本発明はこれに限定されるものではなく、一般家庭で使用される本棚等の什器類や、壁面を凹ませて形成させた収納部等に棚板を取り付けるときに用いてもよい。
【００３３】
また、前記実施例ではカウンタ１の前後両面からの対面利用が可能なように、背板５に対して前後に棚板１０を設けた例で説明したが、２つ側板と背板でコ字状に枠組みして、背板の溝部と側板に設けたダボで１枚の棚板を載置させるようにしても良い。
【図面の簡単な説明】
【００３４】
【図１】本発明の棚板の取付構造が適用されたカウンタを示す斜視図である。
【図２】（ａ）は、カウンタを示す正面図であり、（ｂ）は、カウンタを示す側面図である。
【図３】図２におけるカウンタを示すＡ−Ａ横断平面図である。
【図４】図３におけるカウンタを示すＢ−Ｂ縦断側面図であり、（ａ）は、棚板を取り付けるときの図であり、（ｂ）は、棚板を取り付けた状態を示す図である。
【符号の説明】
【００３５】
１                カウンタ
２                キャスタ
３                基台
４                側板
４ａ              前端縁
５                背板
６                天板
７                ミラーユニット
７ａ              立設板
７ｂ              鏡取付部
８                鏡
９                収納部
１０              棚板
１０ａ            当接部
１０ｂ            後端縁
１０ｃ            突出部
１０ｄ            前端縁
１０ｅ            後端縁
１１              ダボ（突起）
１２              溝部
【図１】
2006346082.tif 000003
【図２】
2006346082.tif 000004
【図３】
2006346082.tif 000005
【図４】
2006346082.tif 000006